(57)【特許請求の範囲】
【請求項１】
筐体と、
前記筐体に接着され、前記筐体に収められた枠体と、
前記枠体に接着された防水フィルムと、
前記枠体と一体成型されて接続され、前記筐体内の電子回路と電気的に接続する配線材が内部に挿入された防水チューブと、
を備える携帯端末装置。
【請求項２】
前記筐体と前記枠体とは、防水両面粘着シートを介して接着され、
前記枠体と前記防水フィルムとは、防水両面粘着シートを介して接着された、
請求項１記載の携帯端末装置。
【請求項３】
前記枠体は、角部に斜めの辺を有し、
前記防水チューブは、前記枠体の前記斜めの辺の部分で一体成型された、
請求項１記載の携帯端末装置。
【請求項４】
第１の筐体と、
第２の筐体と、
前記第１の筐体と前記第２の筐体とを回動可能に連結するヒンジ部と、
前記ヒンジ部の内部を通して前記第１の筐体内の電子回路と前記第２の筐体内の電子回路とを電気的に接続する配線材と、
前記第１の筐体に接着され、前記第１の筐体に収められた枠体と、
前記枠体に接着された防水フィルムと、
前記枠体と一体成型されて接続され、前記配線材が内部に挿入されて前記ヒンジ部の内部に配置された防水チューブと、
を備える折り畳み式携帯端末装置。
【請求項５】
前記第１の筐体と前記枠体とは、防水両面粘着シートを介して接着され、
前記枠体と前記防水フィルムとは、防水両面粘着シートを介して接着された、
請求項４記載の折り畳み式携帯端末装置。
【請求項６】
前記枠体は、角部に斜めの辺を有し、
前記防水チューブは、前記枠体の前記斜めの辺の部分で一体成型された、
請求項４記載の携帯端末装置。
【発明の詳細な説明】
【技術分野】
【０００１】
本発明は、携帯端末装置に関し、特に厚さを薄くした防水機能付き折り畳み式携帯電話装置などの防水機能付き携帯端末装置に関する。
【背景技術】
【０００２】
携帯電話装置などの携帯端末装置は、いろいろな環境下で使用される。そのため、防水機能の付いた携帯電話装置が知られている。
【０００３】
いわゆるストレートタイプの携帯電話装置の場合には、ゴム製の環状パッキンを用いて筐体の防水機能を実現することができる（例えば、特許文献１参照）。
【０００４】
これに対して、いわゆる折り畳み式の携帯電話装置の場合には、それぞれの筐体の防水機能に加えて、ヒンジ部の防水機能が必要になる。複数（２つ）の筐体内の電子回路の間を電気的に接続するための配線材がヒンジ部の内部に配置されるからである。
【０００５】
特許文献２には、ガスケットとヒンジキャップとを用いて、第１筐体と第２筐体とヒンジ部とを防水する折畳み式電子装置が記載されている。また、特許文献２の第１筐体はフロントケースとリアケースとから構成され、フロントケースとリアケースの接合面には、ヒンジ部等を防水するためのガスケットとは別のガスケットが装着されて、第１筐体内部を密封している。また、フロントケースとリアケースを固定するために６本のネジをガスケットの外周側に配置している。同様に、第２筐体もフロントケースとリアケースとから構成され、同様の密封構造が採用されている。
【０００６】
特許文献３には、第１ケースと第２ケースとを回動可能に連結するヒンジ部の内部に接続配線を挿入する際、この接続配線が挿入される防水チューブの一端部を第１ケースの取付孔に取付金具で密着固定すると共に、この防水チューブの他端部を第２ケースの取付孔に取付金具で密着固定した折り畳み式の携帯電話機が記載されている。この構成により、ヒンジ部内に水が侵入しても、防水チューブによって第１、第２ケース内に水が侵入するのを防ぐことができる。
【特許文献１】特開平１０−０７０３７５号公報
【特許文献２】特開２００５−２８２７７６号公報
【特許文献３】特開２００５−３２５８４９号公報
【発明の開示】
【発明が解決しようとする課題】
【０００７】
しかしながら、筐体の防水機能を実現するために、特許文献２のようにガスケットを用いた場合には、ガスケットを確実に圧縮するために、フロントケースとリアケースを固定するために多く（６本）のネジをガスケットの外周側に配置したり、筐体の剛性と強度を保ったりしなければならない。このため、筐体の大きさが大きくなってしまったり、厚さが厚くなってしまったりするという課題がある。
【０００８】
また、ヒンジ部の防水機能を実現するために、特許文献２のようにガスケットとヒンジキャップを用いたり、特許文献３のように取付金具を用いたりした場合には、ガスケット等や取付金具のためにヒンジ部の大きさが大きくなってしまったり、厚さが厚くなってしまったりするという課題がある。
【０００９】
すなわち、特許文献２や特許文献３のような構成では、携帯電話装置全体として、大きさが大きくなってしまったり、厚さが厚くなってしまったりするという課題がある。
【００１０】
本発明は、これらの課題を解決し、防水機能を保ちつつ、筐体とヒンジ部とを含めた全体として、大きさを小さくしたり、厚さを薄くしたりすることのできる折り畳み式携帯電話装置などの携帯端末装置を提供することを目的とする。
【課題を解決するための手段】
【００１１】
本発明の携帯端末装置は、筐体と、前記筐体に接着され、前記筐体に収められた枠体と、前記枠体に接着された防水フィルムと、前記枠体と一体成型されて接続され、前記筐体内の電子回路と電気的に接続する配線材が内部に挿入された防水チューブと、を備えて構成している。
【００１２】
この構成により、筐体内全体を防水するのではなく、筐体内の筐体と枠体と防水フィルムとで囲まれた空間を防水し、さらに筐体内で枠体と防水チューブとを一体成型により接続することで、筐体の剛性または強度は小さくてよくなり、ヒンジ部の取付金具、ガスケット等も不要になるので、防水機能を保ちつつ、筐体とヒンジ部とを含めた全体として、大きさを小さくしたり、厚さを薄くしたりすることのできる防水機能付き携帯電話装置などの携帯端末装置を提供することができる。
【００１３】
また、本発明の折り畳み式携帯端末装置は、第１の筐体と、第２の筐体と、前記第１の筐体と前記第２の筐体とを回動可能に連結するヒンジ部と、前記ヒンジ部の内部を通して前記第１の筐体内の電子回路と前記第２の筐体内の電子回路とを電気的に接続する配線材と、前記第１の筐体に接着され、前記第１の筐体に収められた枠体と、前記枠体に接着された防水フィルムと、前記枠体と一体成型されて接続され、前記配線材が内部に挿入されて前記ヒンジ部の内部に配置された防水チューブと、を備えて構成している。
【００１４】
この構成により、筐体内全体を防水するのではなく、筐体内の筐体と枠体と防水フィルムとで囲まれた空間を防水し、さらに筐体内で枠体と防水チューブとを一体成型により接続することで、筐体の剛性または強度は小さくてよくなり、ヒンジ部の取付金具等も不要になるので、防水機能を保ちつつ、筐体とヒンジ部とを含めた全体として、大きさを小さくしたり、厚さを薄くしたりすることのできる防水機能付き折り畳み式携帯電話装置などの折り畳み式携帯端末装置を提供することができる。
【発明の効果】
【００１５】
本発明は、筐体内全体を防水するのではなく、筐体内の筐体と枠体と防水フィルムとで囲まれた空間を防水し、さらに筐体内で枠体と防水チューブとを一体成型により接続することで、筐体の剛性または強度は小さくてよくなり、ヒンジ部の取付金具等も不要になるので、防水機能を保ちつつ、筐体とヒンジ部とを含めた全体として、大きさを小さくしたり、厚さを薄くしたりすることのできる防水機能付き折り畳み式携帯電話装置などの携帯端末装置を提供することができる。
【発明を実施するための最良の形態】
【００１６】
以下、図面とともに本発明を実施するための最良の形態について説明する。
【００１７】
（実施の形態１）
図１に、本発明の実施の形態１に係る折り畳み式携帯端末装置である防水機能付きの折り畳み式携帯電話装置１００の外観図を示す。折り畳み式携帯電話装置１００は、表示部１０を設けた第１の筐体１と、図示しないテンキーなどの操作部を設けた第２の筐体２をヒンジ部３で開閉自在に連結している。図１は、折り畳み式携帯電話装置１００を閉じた状態を示している。
【００１８】
折り畳み式携帯電話装置１００の使用時には、第１の筐体１を開き、第２の筐体２を手で持つため、第２の筐体２がある程度厚いほうが使いやすい。そして、第２の筐体２には、図示しない充電電池をはじめ、無線通信回路、制御回路、メモリー、その他の電子回路を収納している。第２の筐体２は、筐体の厚さを比較的厚くできるため、従来のガスケットを圧縮するタイプの防水構造等をとることができる。
【００１９】
これに比べて、第１の筐体１は、表示部１０が内蔵される程度にして、筐体の厚さを比較的薄くするようにする場合が多い。そのため、本発明の実施の形態１では、第１の筐体１について、独自の防水構造を採用して、薄型の防水機能付き携帯電話装置を実現している。
【００２０】
図２に、第１の筐体１の上カバー１ａを上方に外したときの斜視図を示す。図２の１ｂは、第１の筐体１の下カバーであり、防水チューブ８を一体成形した枠体４が貼り付けてある。枠体４の上面には防水フィルム５を一面に貼り付けてある。下カバー１ｂと枠体４、そして防水フィルム５で形成された空間には、それぞれ破線で図示した電子部品６を実装した回路基板７が収納されている。回路基板７には、表示部１０の機能を果たす表示装置１１（例えば、液晶表示装置）が搭載されている。また、防水フィルム５の表示部に対向する領域は透明にしてある。
【００２１】
なお、防水フィルム５の一部だけでなく、全体を透明にしてもよい。防水フィルム５が透明であれば、（図示しない）ＩｒＤＡユニットやカメラユニットなどを回路基板７に実装して使用することも可能である。第１の筐体１の上カバー１ａについても表示窓１ｃ（例えば、透明窓）を設けている。防水チューブ８は、枠体４と一体成型され、ヒンジ部３の内部に配置されてヒンジ部３の内部を経由して図示しない第２の筐体２内の防水された空間に接続している。なお、防水チューブ８と枠体４とは、防水チューブ８が入った状態で金型に入れて枠体４を成型することで、両者を一体成型することができる。
【００２２】
図３に、第１の筐体１の防水フィルム５を上方に外したときの斜視図を示す。配線材１５は、第１の筐体１の回路基板７の電子回路とコネクタ１３を用いて接続され、防水チューブ８の内部に挿入された状態でヒンジ部３の内部に配置されてヒンジ部３の内部を経由して、図示しない第２の筐体２内の電子回路とを電気的に接続する。
【００２３】
図４に、本発明の実施の形態１に係る防水機能付き携帯電話装置１００の枠体４（防水チューブ８を一体成型していない状態）を示す。図４（ａ）は、枠体４の正面図であり、図４（ｂ）は、枠体４の側面図である。枠体４には、チューブ接続部４ａが成形してある。図４（ｃ）にチューブ接続部４ａをＡ矢印方向から見た拡大図を示す。チューブ接続部４ａの穴は、いわゆる長穴の形をしていて、扁平な防水チューブ８を入れられるようにしている。枠体４の材質は、ＡＢＳ樹脂でも、ポリカーボネートでも良く、第１の筐体１の下カバー１ｂに接着する材質で水を通さないものであればよい。なお、図４において、チューブ接続部４ａは、枠体４の右上の角部の斜めの辺の部分に設けられている。これは、図２に示すように、防水チューブ８が、第１の筐体１の右上の部分からヒンジ部３に挿入される場合を想定しているからである。このように、枠体４の角部に斜めの辺を設け、防水チューブ８をこの斜めの辺の部分に一体成型することで、空間を無駄にせずに（したがって、第１の筐体１の大きさを大きくしないで）ヒンジ部３への防水チューブ８の接続をすることができる。
【００２４】
図５に、枠体４と防水チューブ８とを一体成型した状態の斜視図を示す。
【００２５】
図６に、枠体４を第１の筐体１の下カバー１ｂに貼り付ける前工程として、ヒンジ金具９、ヒンジ圧入用のガスケット１２に防水チューブ８を通したとき（第２の筐体２側の構造と合わせてガスケット１２と防水チューブ８がしっかり固定され、止水されるようにするためである。）の状態を示す。枠体４の内側の配線材１５の先端にはコネクタ１３が取り付けられる。ここで、ガスケット１２は、第２の筐体側で、第２の筐体２内の防水された空間に接続するために用いられる。なお、ガスケット１２の代わりに、取付金具を用いる等してもよい。
【００２６】
図７に、第１の筐体１の各部分を分解して並べた分解斜視図を示す。第１の筐体の下ケース１ｂには、回路基板７（電子部品６は図示していない）が配置される。回路基板７の周囲に防水両面粘着シート１４ａが貼られ、防水両面粘着シート１４ａ上には図６で示したようなヒンジ金具９、ガスケット１２、コネクタ１３を取り付けた枠体４が固定される。コネクタ１３は回路基板に接続される。そして、防水フィルム５を貼り付けて固定する。なお、図７の分解斜視図では、防水フィルム５の下面を粘着面としている。そして、上カバー１ａを重ねて、下カバー１ｂと合体することにより、第１の筐体１が組み立てられる。
【００２７】
また、図７の第１の筐体の下ケース１ｂには、メイン表示部に対向する領域に角穴２２をあけている。また、下ケース１ｂの下には、メイン表示部用シート３２（例えば、液晶パネル）を外側から防水両面粘着シートなどで貼り付けるようにしている。回路基板７の下面にはメイン表示部用の表示装置３１（例えば、液晶表示装置）を取り付けている。図７では、表示装置３１を破線で示している。
【００２８】
図８に、本発明の実施の形態１の防水機能付き携帯電話装置１００の断面図を示す。図８では、第１の筐体１のみについて断面で示している。なお、図８では、防水フィルム５を枠体４に接着するために、防水フィルム５の下面を粘着面とするのでなく、防水フィルム５の下面には粘着面を設けず、防水両面粘着シート１４ｂによって防水フィルム５を枠体４に接着する構成を示している。
【００２９】
以上説明したように、本発明の実施の形態１の折り畳み式携帯電話装置１００は、第１の筐体１内全体を防水するのではなく、第１の筐体１内の一方の筐体（詳細には、下カバー１ｂ）と枠体４と防水フィルム５とで囲まれた空間を防水し、さらに第１の筐体１内で枠体４と防水チューブ８とを一体成型により接続することで、第１の筐体１の剛性または強度は小さくてよくなり、少なくとも第１の筐体１側ではヒンジ部３の取付金具等も不要になるので、防水機能を保ちつつ、第１の筐体１とヒンジ部３とを含めた全体として、大きさを小さくしたり、厚さを薄くしたりすることができる。折り畳み式携帯電話装置１００のような携帯端末装置は、デザイン性も良く、市場での携帯電話装置の薄型化の流れにも合致している。
【００３０】
なお、本発明の実施の形態１の携帯電話装置１００は、折り畳み式携帯電話装置であるとして説明したが、本実施の形態１における第１の筐体１内の防水構造は、折り畳み式携帯電話装置だけでなく、いわゆるスライド式携帯電話装置などの携帯電話装置や携帯ゲーム装置、携帯テレビ受信装置など各種の携帯端末装置に適用することもできる。
【産業上の利用可能性】
【００３１】
本発明は、筐体内全体を防水するのではなく、筐体内の筐体と枠体と防水フィルムとで囲まれた空間を防水し、さらに筐体内で枠体と防水チューブとを一体成型により接続することで、筐体の剛性または強度は小さくてよくなり、ヒンジ部の取付金具等も不要になるので、防水機能を保ちつつ、筐体とヒンジ部とを含めた全体として、大きさを小さくしたり、厚さを薄くしたりすることができるので、防水機能付き折り畳み式携帯電話装置などの携帯端末装置に適用することができる。
【図面の簡単な説明】
【００３２】
【図１】本発明の実施の形態１に係る携帯電話装置の外観図
【図２】本発明の実施の形態１に係る携帯電話装置の第１の筐体の分解斜視図
【図３】本発明の実施の形態１に係る携帯電話装置の第１の筐体の分解斜視図
【図４】（ａ）本発明の実施の形態１に係る携帯電話装置の枠体の正面図（ｂ）本発明の実施の形態１に係る携帯電話装置の枠体の側面図（ｃ）本発明の実施の形態１に係る携帯電話装置の枠体に一体成形した接続用チューブの部分拡大図
【図５】本発明の実施の形態１に係る枠体の斜視図
【図６】本発明の実施の形態１に係る枠体に付属部品を取り付けたときの斜視図
【図７】本発明の実施の形態１に係る携帯電話装置の第１の筐体の分解斜視図
【図８】本発明の実施の形態１に係る携帯電話装置の断面図
【符号の説明】
【００３３】
１００    携帯電話装置
１    第１の筐体
１ａ    上カバー
１ｂ    下カバー
１ｃ    表示窓
２    第２の筐体
３    ヒンジ部
４    枠体
５    防水フィルム
６    電子部品
７    回路基板
８    防水チューブ
９    ヒンジ金具
１０    表示部
１１，３１    表示装置
１２    ガスケット
１３    コネクタ
１４ａ，１４ｂ    防水両面粘着シート
１５    配線材
３２    メイン表示部用シート
【図１】
0004935692.tif 000002
【図２】
0004935692.tif 000003
【図３】
0004935692.tif 000004
【図４】
0004935692.tif 000005
【図５】
0004935692.tif 000006
【図６】
0004935692.tif 000007
【図７】
0004935692.tif 000008
【図８】
0004935692.tif 000009